(57)【特許請求の範囲】
【請求項１】
上面に端子部の測定部材を挿通可能な貫通孔を備えた端子カバーにおいて、端子カバーの上面に、前記貫通孔を通り、端子カバーの上面に沿って延びるガイド部を形成したことを特徴とする端子カバー。
【請求項２】
ガイド部を貫通孔ごとに形成したことを特徴とする請求項１に記載の端子カバー。
【請求項３】
ガイド部を端子カバーの上面に、通電方向に形成したことを特徴とする請求項２に記載の端子カバー。
【発明の詳細な説明】
【技術分野】
【０００１】
本発明は、開閉器や端子台等の配電機器の端子部に取付けられる端子カバーに関するものである。
【背景技術】
【０００２】
配電機器の端子部には、感電事故を防止するためや極間の絶縁距離を確保するために、合成樹脂製の端子カバーが取付けられている。また特許文献１に示されるように、端子カバーの端子ねじに対向する位置には、点検時に種々の測定を行うための測定ピン等の測定部材を挿通するための貫通孔が形成されている。
【０００３】
このような貫通孔は、測定部材を挿通するに足る小径のものである。このため配電機器の設置位置によっては貫通孔を目視で確認することが困難な場合があった。例えば開閉器が分電盤に取付けられたものである場合には、高所や暗所に設置されることがあり、開閉器が太陽光発電機器に取付けられたものである場合には、低所に設置されることがあり、これらの場合には小径の貫通孔を目視確認し難いという問題があった。
【先行技術文献】
【特許文献】
【０００４】
【特許文献１】特開平９−２３１８９８号公報
【発明の概要】
【発明が解決しようとする課題】
【０００５】
従って本発明の目的は上記した従来の問題点を解決し、配電機器の設置条件によって測定部材を挿通するための貫通孔の位置を目視確認しにくい場合にも、測定部材を貫通孔に挿通することができる端子カバーを提供することである。
【課題を解決するための手段】
【０００６】
上記の課題を解決するためになされた本発明は、上面に端子部の測定部材を挿通可能な貫通孔を備えた端子カバーにおいて、端子カバーの上面に、前記貫通孔を通り、端子カバーの上面に沿って延びるガイド部を形成したことを特徴とするものである。
【０００７】
なお請求項２のように、ガイド部を貫通孔ごとに形成した構造とすることが好ましく、また請求項３のように、ガイド部を端子カバーの上面に通電方向に形成することが好ましい。
【発明の効果】
【０００８】
本発明の端子カバーは、貫通孔に連通するガイド部を備えたものであるから、高所、低所、暗所等で貫通孔の目視が困難な場合であっても、測定部材を貫通孔に容易に挿通することができる。
【０００９】
ガイド部を貫通孔ごとに形成した構造とすれば、各極ごとに測定部材を貫通孔に挿通することが容易となる。またガイド部を端子カバーの上面に通電方向に形成した構造とすれば、各極ごとのガイド部を容易に区別することができ、各極ごとに測定部材を貫通孔に挿通することが容易となる。
【図面の簡単な説明】
【００１０】
【図１】第１の実施形態を示す平面図である。
【図２】第１の実施形態を示す斜視図である。
【図３】要部の拡大断面図である。
【図４】第２の実施形態を示す平面図である。
【図５】第３の実施形態を示す平面図である。
【図６】第４の実施形態を示す平面図である。
【図７】第５の実施形態を示す断面図である。
【発明を実施するための形態】
【００１１】
以下に本発明の実施形態を説明する。
図１〜図３は本発明の第１の実施形態を示す図であり、図１は平面図、図２は斜視図、図３は要部の拡大断面図である。
【００１２】
これらの図において、１は端子部、２は端子部１に取付けられた端子カバーである。この実施形態の端子部１は、配線用遮断器３の電源側及び負荷側に形成されているが、単独の端子台であってもよい。図３に示すように端子部１は各極ごとに端子ねじ４を備えている。端子カバー２は端子ねじ４の上面を覆い、感電事故を防止するとともに、図示されていない隔壁によって極間の絶縁距離を確保する機能を備えている。
【００１３】
図３に示すように、端子カバー２の上面には測定部材５である測定ピンを挿通可能な貫通孔６が形成されている。貫通孔６は端子ねじ４の直上位置に形成されており、測定部材５を真っ直ぐに挿通するとその尖端が端子ねじ４に接触するようになっている。貫通孔６の周囲には傾斜部７が形成されているが、前記したように高所、低所、暗所等では貫通孔６の目視が困難なことがある。
【００１４】
そこで本発明では、貫通孔６に連通するガイド部８を端子カバー２の上面に設けた。ガイド部８は貫通孔６を通り、端子カバー２の上面に沿って延びるものであり、各極ごとに、すなわち各貫通孔６ごとに凹溝状に形成されており、その方向は通電方向、すなわち配線用遮断器３の長手方向である。この実施形態ではガイド部８は直線溝であり、端子カバー２の上面の略全長にわたり形成されている。なおガイド部８は各貫通孔６の両側に延びている。
【００１５】
また、ガイド部８を端子カバー２の上面を貫通させて設けてもよい。その場合、ガイド部８の幅は貫通孔６の径よりも狭くしておくことが好ましい。測定部材５である測定ピンは根本ほど太くなっているので、ガイド部８には測定ピンに先端部のみが入る。このため貫通孔６の位置までガイドされたときにのみ、測定ピンを貫通孔６に完全に落とし込めるようになる。
【００１６】
端子カバー２をこのような構造としておけば、高所、低所、暗所等で貫通孔６の目視が困難な場合であっても、測定部材５である測定ピンの先端をガイド部８の何れかの部分に挿入してガイド部８に沿ってスライドさせれば、貫通孔６に容易に到達することができ、電圧や絶縁抵抗の測定等を行うことができる。このため従来にように、測定ピンの先端で小径の貫通孔６を直接探り当てる必要がなくなる。
【００１７】
図４は本発明の第２の実施形態を示す平面図である。第１の実施形態においては、ガイド部８は貫通孔６の両側に延びていたが、第２の実施形態では、ガイド部８の端部を貫通孔６とした。このような構造とすれば、ガイド部８に挿入した測定ピンの先端が貫通孔６を通り越してしまうことが防止できる。
【００１８】
図５は本発明の第３の実施形態を示す平面図である。この実施形態では、ガイド部８を貫通孔６を中心として斜め方向に形成した。また他の実施形態とは異なり、ガイド部８を各貫通孔６ごとに複数本形成した。図示のように端子カバー２の端部側が広がるようにガイド部８を形成しておけば、手探りでも測定部材５を確実に貫通孔６に到達させることができる。
【００１９】
図６は本発明の第４の実施形態を示す平面図である。この実施形態では、ガイド部８を貫通孔６を中心として扇型の凹溝とした。測定部材５をこの凹溝内に落とし込み、その端縁に沿ってスライドさせれば容易に貫通孔６に到達可能である。
【００２０】
図７は本発明の第５の実施形態を示す断面図である。上記した各実施形態ではガイド部８は全て凹溝であったが、第５の実施形態では突起とした。なおその平面形状は上記した各種の形状を採用することができる。また、ガイド部８の突起上に傾斜部を設け、測定部材５をガイド８間に誘導させる構造としてもよい。
【００２１】
以上に説明したように、本発明の端子カバーはガイド部８を設けたことにより、高所、低所、暗所等で貫通孔６の目視が困難な場合であっても、測定部材を貫通孔６に容易に挿通することができる利点がある。
【符号の説明】
【００２２】
１  端子部
２  端子カバー
３  配線用遮断器
４  端子ねじ
５  測定部材
６  貫通孔
７  傾斜部
８  ガイド部
【図１】
0006465616.tif 000002
【図２】
0006465616.tif 000003
【図３】
0006465616.tif 000004
【図４】
0006465616.tif 000005
【図５】
0006465616.tif 000006
【図６】
0006465616.tif 000007
【図７】
0006465616.tif 000008